(57)【要約】【課題】材料を混合するとき材料の体積分率を連続的に測定し、作業者エラーの生じず、磁化可能な粒子の所望の体積分率及びタイプを保持する流体組成をモニターする装置及び方法を提供すること。【解決手段】透磁性材料の組成をモニターする装置と方法において、装置は、多量の透磁性材料を含んでいる第１の容器、透磁性材料を容器から流し出す流路、透磁性材料のインダクタンスを測定するセンサ及び透磁性材料の密度を測定するセンサを具備する。密度を測定するためのセンサ及び透磁性材料のインダクタンスは、流路にフロー接続している。インダクタンス測定には、中空部材にコイルを巻いたインダクタを用いることができ、密度測定には、質量流量計を用いることができる。【選択図】図１
2004530881.tif 000002
【特許請求の範囲】
【請求項１】
Ａ）多量の透磁性材料を含んでいる第１の容器、
Ｂ）容器から透磁性材料を流しだすための流路、
Ｃ）透磁性材料のインダクタンスを検出する手段、
及び
Ｄ）透磁性材料の密度を検出する手段を備え、
前記密度を検出する手段及び前記透磁性材料のインダクタンスを検出する手段は流路にフロー接続されている透磁性材の
組成をモニターする装置。
【請求項２】
透磁性材料の密度を検出する手段が質量流量計である請求項１に記載の装置。
【請求項３】
質量流量計がコリオリ型装置である請求項２に記載の装置。
【請求項４】
透磁性材料のインダクタンスを検出する手段が周りにコイルを有する中空部材で構成されている請求項１に記載の装置。
【請求項５】
前記中空部材が管状である請求項４に記載の装置。
【請求項６】
前記中空部材が環状である請求項４に記載の装置。
【請求項７】
前記中空部材及びコイルが遮蔽材によって囲まれている請求項４に記載の装置。
【請求項８】
前記中空部材は、部材の両端のすぐ近くに環状フランジを備え、前記フランジはある距離だけ離されており、前記コイルは両フランジ部材の間に置かれている請求項４に記載の装置。
【請求項９】
前記装置は第２の容器を備え、前記流路は吸込み端及び排出端を有し、前記吸込み端は、第１の容器によって画成された第１の室に置かれており、前記排出端は第２の容器によって画成された第２の室に置かれている請求項１に記載の装置。
【請求項１０】
容器は室を画成し、流路は吸込み端及び排出端を備え、前記吸込み端は容器の室の第１の位置に置かれ、排出端は吸込み端から離れた容器にフロー接続されている請求項１に記載の装置。
【請求項１１】
材料のインダクタンスを検出する手段がシャフトの端に中空部材を備えている請求項１に記載の装置。
【請求項１２】
前記中空部材が環状である請求項１１に記載の装置。
【請求項１３】
前記中空部材が環状で室を画成し、前記中空部材がコイルを支持するボビンを更に備えている請求項１１に記載の装置。
【請求項１４】
前記中空部材が外周及び前記外周に沿った遮蔽部材を備えている請求項１３に記載の装置。
【請求項１５】
透磁性材料が磁気流動性流体である請求項１に記載の装置。
【請求項１６】
Ａ）大量の透磁性材料を含んでいる第１の容器、
Ｂ）透磁性材料を前記容器から流し出す流路、
及び
Ｃ）透磁性材料のインダクタンスを検出する手段を備え、前記手段は、流路にフロー接続されている透磁性材料の組成を
モニターする装置。
【請求項１７】
前記透磁性材料のインダクタンスを検出する手段が周りにコイルを有する中空部材から成る請求項１６に記載の装置。
【請求項１８】
前記中空部材が管状である請求項１７に記載の装置。
【請求項１９】
前記中空部材が環状である請求項１７に記載の装置。
【請求項２０】
前記部材及びコイルが遮蔽材によって囲まれている請求項１７に記載の装置。
【請求項２１】
透磁性材料のインダクタンスを検出する手段がシャフトと一体に作られた中空部材から構成されて、前記中空部材はコイルを含む室を画成している請求項１６に記載の装置。
【請求項２２】
前記コイルがボビンで支えられている請求項２１に記載の装置。
【請求項２３】
Ａ）大量の透磁性材料を含んでいる第１の容器、
Ｂ）透磁性材料を前記容器から流し出す流路、
及び
Ｃ）透磁性材料の密度を検出する手段を備え、
前記手段は、流路にフロー接続されている透磁性材料の組成をモニターする装置。
【請求項２４】
前記透磁性材料の密度を検出する手段が質量流量計である請求項２３に記載の装置。
【請求項２５】
前記質量流量計がコリオリ型装置である請求項２４に記載の装置。
【請求項２６】
多量の透磁性材料を含んでいる第１の容器、透磁性材料を容器から流し出す流路及び透磁性材料のインダクタンスを検出する手段を備える装置において、前記透磁性材料が前記流路を通して流れるとき前記透磁性材料のインダクタンスを検出するステップを備える透磁性材料の組成をモニターする方法。
【請求項２７】
前期流路を通して透磁性材料を流す更なるステップを備える請求項２６に記載の方法。
【請求項２８】
前記装置が透磁性材料の密度を検出する手段を更に備え、前記方法が透磁性材料の密度を検出するステップを更に含む請求項２６に記載の方法。
【請求項２９】
Ａ）多量の透磁性材料を含んでいる第１の容器、
Ｂ）前記容器から透磁性材料を流し出すための流路、
及び
Ｃ）透磁性材料のインダクタンスを検出するための手段を備え、前記手段は前記流路にフロー接続している透磁性材料の
組成をモニターする装置。
【発明の詳細な説明】
【技術分野】
【０００１】
本発明は、透磁性流体であってもよい透磁性材料の組成をモニターする装置と方法に関する。さらに詳しく言えば、本発明は、材料のインダクタンス及び装置を通る材料の質量流量を検出することによって透磁性材料の組成をモニターする装置と方法に関する。インダクタンス及び質量流量の検出された値は、別々に又は組み合わせて材料の中の粒子の実際の体積分率を決定するために用いることができる。
【背景技術】
【０００２】
例えば磁気流動性（ｍＲ）流体などの透磁性材料は、油、水又はシリコーンであってもよい液体の中に懸濁された磁化可能な粒子から成る。フィールドを加える前は、この種のＭＲ流体は、通常は自由に流れている。例えば磁界などのフィールドを加えると、粒子は稠密な網状組織を形成し、流体の見かけの粘性が変化して流体を濃くする。変化の程度は、印加磁界の大きさと比例している。
【０００３】
透磁性材料が可動部材（例えばダンパーのピストン又は制動装置の回転要素）の変位を制御するのによく用いられる。この種の材料は、この流体に対する関連用途に合うように特に設計されている。特に設計された材料は、磁化可能な粒子の必要な体積分率を備えなければならず、関連装置の必要な運動制御を行うに必要な抵抗力を与えることができるようにするために必要な種類の鉄を含まなければならない。
【０００４】
透磁性材料（例えばＭＲ流体）は、鉄の粒子と担体流体を混合することによって製作される。鉄の粒子と担体流体は、必要な磁気特性を持つ多量の流体を作り出すために正確な比率で混合されなければならない。流体が混合されるにつれて、流体は必要な安定した流体組成が達成されて維持されていることを確認するために技術員によって試験される。透磁性材料を試験するための従来の方法は、材料の離散的な量を試験するために、フロリダ州ポンパノ・ビーチ（Ｐｏｍｐａｎｏ  Ｂｅａｃｈ）のポール・ガードナ・グループ（Ｐａｕｌ  Ｇａｒｄｎｅｒ  Ｇｒｏｕｐ）によって製作された密度カップを使用することから成る。実際には、透磁性材料のある量が密度カップに集められる。一旦密度カップが必要な量の流体で満たされると、粘着性流体の正確な収集量が流体のサンプルを粘性材料のサンプルを混入空気ないものにする合格希釈薬品で希釈して混合することを含む複雑な方法を用いて決定される。希釈されたサンプルは、次に重さを量られ、重量と流体の体積から磁化可能な粒子の体積分率を決定できる。
【０００５】
密度カップを用いて製作された透磁性材料を試験する方法と関連している多くの問題がある。第１に、材料は、断続的に試験される。材料が連続的ではなく不連続に試験されるので、材料の全量の小部分だけしかサンプリングされない。その結果、混合材料の組成は、磁化可能な材料の不定で望ましくない体積分率から成ることがある。さらに、密度カップ・サンプリング手順は、非常に特殊化されて、定期的に正確な測定値を得るために必要な専門知識を身につけるために特殊な、広範囲な訓練を必要とする。したがって、密度カップ・テスト・テクニックは、作業者エラーの生ずる傾向がある。
【発明の開示】
【発明が解決しようとする課題】
【０００６】
上述のことは、現在の装置及び方法に存在すると知られている限界を例示している。したがって、材料を混合するとき材料の体積分率が連続的に測定され、作業者エラーの生ずる傾向がなく、磁化可能な粒子の所望の体積分率及びタイプを保持するために流体組成をモニターする代替の装置及び方法を提供することが都合の良いことは明らかであろう。したがって、以下により完全に開示される特徴を備えている適当な代替の方法及び装置を提供する。
【課題を解決するための手段】
【０００７】
本発明の一態様において、これは透磁性材料の組成をモニターする装置と方法によって達成され、前記装置は、多量の透磁性材料を含んでいる第１の容器、容器から透磁性材料を流し出すための流路、透磁性材料のインダクタンスを測定するセンサ及び透磁性材料の密度を測定するセンサを備えている。透磁性材料の密度及びインダクタンスを測定するためのセンサは、流路にフロー接続（流体が流れるようにパイプなどで接続すること）されている。
【０００８】
より詳しくいえば、本発明は、磁気流動性流体の透磁性に敏感なインダクタンス・センサを用いて透磁性流体の中の磁性粒子の体積分率を測定又はモニターする。検知インダクタンスコイルには、大体中空でコイルが中空体を囲んでいる。中空部材は、環状又は管状であってもよい。インダクタンス・メーター又はブリッジ回路がコイルのインダクタンスを測定するために用いられている。測定されるインダクタンスは、コイルに含まれる材料の透磁性と比例している。このようにして、材料の所望の体積分率は維持される。材料の密度は、例えばコリオリ型流量計であってもよい質量流量計によってモニターされる。材料の密度を測定することによって、必要な種類の磁性粒子が担体流体と混合されたことを技術員が確認できる。インダクタンス及び質量流量の値は、別々に又は組み合わせて用いて粒子体積分率を測定できる。
前述及びその他の態様は、添付の図面とともに考慮されるとき、発明の以下の詳細な説明から明らかになる。
【発明を実施するための最良の形態】
【０００９】
【実施例１】
【００１０】
同様な部品が各図において同じ数字によって示されている図面を参照すると、磁気流動性（ｍＲ）流体を含むフィールド応答材料などの透磁性材料の組成をモニターする第１実施例の装置１０が図１〜７に例示されている。本発明の装置及び方法を種々の透磁性材料（コンピュータ関連の装置及び記憶媒体のためのコーティングとして有効である材料を含む）の組成をモニターするために用いることができると理解されるべきである。しかし、説明が更に進むにつれて、本発明の好ましい実施例を記載するために、本発明によってモニターされて、分析される例示的な透磁性材料は、ＭＲ流体である。図１に示すように、装置１０は、一般に容器の室１６の中に多量の透磁性流体１４を収容する事実上閉じた容器１２から成る。
【００１１】
孔１８及び２０が容器に沿って設けられ、各孔は、室１６に吸込み及び戻し導管２２と２４の各部分の位置を決める手段をとなる。本発明の好ましい実施例を説明するために、孔は容器の頂部に設けられている。吸込み及び戻し導管は、中間導管セクション２６によってフロー接続されている。中間セクション２６は、当業者に周知の肘、Ｔ字管及び垂直セグメントの任意の適当な組合せから成っていてもよい一つ以上の導管セグメントから構成できる。図１に示すように、戻し導管の出口２８は、流体のレベル３０より上にあり、吸込み導管２２の入口端３２は、流体のレベル３０の下にある。容器１２から流体を流し出して、容器の流体室１６に流体を戻す手段は、出口、中間及び戻りセクションから成る単一管部材からなっていてもよいし、又は、吸込み導管２２、中間導管２６及び戻し導管２４などの個別の部材の組合せから構成されてもよい。以下では、容器から流体を流して容器に流体を戻すための手段が「流路」と一般に呼ばれ、この用語は個別の部材又は一体的部材のどちらかで構成される流れ手段を意味すると理解されるべきである。流路は、また、その個別的な導管又はセクションによって呼ばれることがある。図１に示すように、本発明の第１実施例の装置は、単一の容器１２から成り、流体１４は、容器から引き出され、流路１１を通して流されて、流体１４に戻される。
【００１２】
従来のポンプ４０のような装置を通して材料を追いたてる手段が中間導管セグメントに沿って中間導管２６にフロー接続ざれている。ポンプ４０は、ポンプ汲入口４１及びポンプ吐出口４３を備え、任意の適当な周知のポンプ（例えばダイアフラムポンプ）から構成されてもよい。ポンプは、容器から流体を引き出して、それを中間セグメントを通して容器１２の中へと戻すポンプ送りをする働きをする。
【００１３】
検知インダクタ４８は、ポンプ流出端４３の下流に中間導管２６にフロー接続されている。インダクタ４８は、次にインダクタンス計などの出力装置４４に電気的に接続されて、計器がインダクタと信号受信関係にあるようになる。出力装置は、検知インダクタ４８によって検出されるインダクタンスを確実に示す任意の適当な装置であってよい。接続部材４６ａ及び４６ｂは、装置４４を従来の方法で検知部材４８に電気的に接続する。検知インダクタ４８がポンプから上流にあるとして図示し説明されているが、代わりに、ポンプを検知インダクタ４８から上流に置くことができると理解されるべきである。
【００１４】
検知インダクタ４８は、一次コイル４２を備えている。一次コイル４２は、一本の中空管状コア部材５２の外側に巻付けられた２５号ＡＷＧマグネットワイア50の２３００ターンから構成される。コア部材５２を構成している材料は、非磁性で非伝導性の材料（例えばＰＶＣとして当業者にとって周知のポリ塩化ビニル）である。コアが非磁性で非伝導性である材料から作られることは、非常に重要である。コアが伝導性の場合、コアは、センサ４２が透磁性材料を効果的に調べるのを妨げる磁気遮蔽として作用し、それによって検知インダクタ４８の感度及び精度を下げる。
【００１５】
図２に示すように、マグネットワイア50は、筒状部材５２の周りに置かれる前記部材の両端の近くにある環状フランジ部材５４と５６の間に巻付けられている。環状フランジ部材は、ゴムグロメットから成り、ワイアをそれらの間に部材５２の長さの一部分に沿って封じ込める働きをする。図３及び４に示すように、部材５２はコア室５８を画成する。
【００１６】
図２に示される磁力線は、一次コイル５０を構成しているマグネットワイア50によって作られ、磁界６０のおよその形を例示している。磁力線は、中空コア室５８にある透磁性材料を通り、コアの両端の回りを通る。
【００１７】
表示装置４４には、動作周波数（例えば１０００Ｈｚ）がある。表示装置は、コイルの励起を引き起こし、このようにして、コイル５０を事実上軸方向に通り室５８通って伸びる磁界６０を作る。コアが例えば銅のような伝導体である場合、コアは、円周方向の電流が誘導される二次コイルとして作用するだろう。そのような二次電流は、透磁性材料の一次磁界６０に反対向きでそれを打ち消す磁界を生じるだろう。伝導性コアは、磁気遮蔽として作用して、センサ４８が流体を調べるのを妨げて、それによって装置４８の感度を下げるだろう。
【００１８】
本発明の装置及び方法が１パーセント未満の体積分率変化を検出することが可能であると期待される。使用中は、磁界がインダクタコイル５０によって作られと、磁界は、インダクタ４８の室５８を通過する流体と相互作用する。流体内の鉄粒子の体積分率が大きければ大きいほど、流体の磁気反応は大きい。したがって、装置１０は流体１４の体積分率の変化を検出する。
【００１９】
本発明の装置１０の試験は、２００１年１月２２日またはその近くで行われた。
最初の間は、流体体積１４は、０．１５の鉄の体積分率を持っており、装置４２によって検出され、表示装置４４によって示されたインダクタンスは、２８．８ｍＨであった。流体１４は、２５０ｍｌの油を総量３．０リットルで体積分率（ｖ／ｖ）１５％の流体に加えることによって希釈された。こういうふうに流体を希釈することによって、体積分率は、１４％ｖ／ｖまで下げられた。ポンプが透磁性材料を再循環させると、それはミキサーとして作用した。流体が混合されるにつれて、表示装置４４は、センサ４８によって検出される変化する流体インダクタンスを表示した。インダクタンスは、２８．８ｍＨで始まって、時間とともに、インダクタンス値は、２７．１ｍＨに減少した。したがって、体積分率の１％の変化は、インダクタンス読みの２．５％の変化より僅かに多いものに対応した。
流路の入口セクションは容器の種々の場所に動かされ、インダクタンス読みは表示装置４４上に観察された。インダクタンス読みは、容器内の種々の場所で同じであった。動作時には、インダクタンス計は、装置の材料の透磁率を表している値を与える。インダクタンス計が材料体積分率を測定するために単独で用いられるとき、粒子密度が材料の体積分率を推定するためにシステム・オペレータ又は技術員によって仮定される。実際には、密度は，大きな精度で仮定され、それによって正確な体積分率値を与える。
【００２０】
図１及び２に示される検知インダクタ４８の感度は、図３及び４に示される方法で大きくできる。３及び４に示すように、検知インダクタ４８は、事実上部材５２、フランジ５４と５６及び検知インダクタ４８のコイル４２を囲む外部遮蔽６２を追加することによって改造できる。遮蔽は、接続部材４６ａと４６ｂが遮蔽を通り抜ける孔を備えている。遮蔽は、低炭素鋼などの高磁気透過性の任意の適当な材料から作られる。外部遮蔽は、外部ソースからの妨害を防止するとともに低リラクタンス・フラックス復路６６を与える。図４を参照。遮蔽６２を取り入れた結果として、磁界エネルギーの大部分が装置１０を囲んでいる環境に分散するのではなく、センサ４８を通過する流体の中に閉じ込められる。
【実施例２】
【００２１】
第２の実施態様の装置１００が図５に例示されている。第２の実施態様の装置１００は、装置１０と関連して先に述べたように、容器１２、ポンプ４０、検知インダクタ４８の出力装置４４及び流路１１を備えている。装置１００には、流路１１の戻りセクションから排出される流体１４を受けるのに適応している第２の容器１３がある。したがって、流体１４は容器１２から吸込まれて、導管１１を通って流され、容器１３に流し込まれる。流体が必要な体積分率のものである場合、受け容器１３に集められた流体をその意図された用途に用いることができる。
【実施例３】
【００２２】
第３実施態様の装置１０２が図６に例示されている。装置１０２には、前述のように、検知インダクタ４８、出力装置４４、ポンプ４０、容器１２及び流路１１がある。流路１１には、吸込み導管２２は、容器１２の底のすぐ近くに置かれ、戻し導管２４は、容器の頂部に置かれている。従来の混合デバイス７１が容器内の流体１４を混合する役をする。装置７１は、剛性シャフト７６によって攪拌部材７４に固定されたモーター７２を備えている。モーターは、電動機であってもよい。撹拌部材７４は、容器の底に最も近く置かれているが、容器内の任意の適当な位置に置くことができる。弁７０が、流路１１に沿ってポンプ４０の上流にフロー接続されている。この弁は、任意の適当な従来の弁（例えば蝶形弁）であってもよい。このようにして、流体は、それが装置を通って流されるにつれて、混合されるとともに、それが流路に吸込まれる前に撹拌要素７４によって混合される。
【００２３】
さらに、装置１０２は第２の容器１３を含むように改造して、流体が第２の実施態様の装置１００において前に図示して説明したようにして第２の容器に流し込まれるようにできるだろう。そのような改造装置１０２においては、入口は図６に示すように容器１２に接続され、排出端は、容器１２から離れて容器１３位置に隣接した位置へ配置され直すだろう。
【００２４】
装置１０２は、装置１０と関連して前に記載したようにして透磁性流体１４の組成をモニターする働きをするので、装置１０２の動作のこれ以上の説明は必要でない。
【００２５】
代替構成の検知インダクタ８０が図７に例示されている。検知インダクタ８０は、液体担体にある鉄粒子の体積分率の感度の良い測定をできる。インダクタは、流体入口８４及び流体排出口８６を有する中空の閉じたリング８２を備えている。インダクタ８０は、入口端及び排出端で流路１１にフロー接続されている。マグネットワイヤ８８は、リングの周りに巻きつけられる。マグネットワイヤは、装置１０の検知インダクタ４８において上述したものと同じである。図７の矢印８９で示されているように、流体は、リング周りを完全に流れ、図８に示されるように、磁束９０は、コイルの事実上完全に内部に、そして、その結果として、リングを通って流れる透磁性流体の完全に中に閉じ込められる。
【実施例４】
【００２６】
透磁性流体１４の組成をモニターする第４の実施態様の装置１１０が図９に例示されている。装置１１０は、装置１０、１００及び１０２において前述したように、容器１２と１３、流路１１、弁７０、検知インダクタ４８、表示装置４４、ポンプ４０及び混合装置７１を備えている。
【００２７】
第４の実施態様の装置１１０はまた、検知インダクタ４８から上流に流路１１に沿ってフロー接続された質量流量センサ１２０を備えている。本発明の好ましい実施例を記載するために、質量流量センサは、インダクタ４８から上流に置かれているが、弁、ポンプ及びインダクタについて上述したように、質量流量センサは、流路１１に沿った任意の適当な位置に置くことができ、インダクタ４８から上流にある必要はない。質量流量センサ１２０は、流体が流路１１を通して流されるとき、流体の密度を測定することが可能である任意の適当な装置であってよい。より詳しくいえば、好適な質量流量センサは、当業者にとって周知のコリオリ型装置である。そして、より詳しくいえば、好適なコリオリ型装置は、モデル番号Ｆ−１００としてマイクロ・モーション（Ｍｉｃｒｏ  Ｍｏｔｉｏｎ）ラインの名の下でエマーソン・プロセス・マネージメント（Ｅｍｅｒｓｏｎ  Ｐｒｏｃｅｓｓ  Ｍａｎａｇｅｍｅｎｔ）によって売られている質量流量センサである。質量流量センサ１２０は、流体１４の他の特性（例えばインダクタンス）と独立に流体１４の密度を測定する。質量流量センサは、粒子分率を測定するために独立に用いるか又はインダクタンス・センサと組み合わせて用いることができる。質量流量の読みは、センサユニットに示される。質量流量の読みを検出されたインダクタンスと組み合わせることによって、作業者は、体積又は重量分率に関してインダクタンスを用いていて正確な粒子使用量を得ることが可能であり、例えば標準カルボニル油又は還元カルボニル油が流体の中にある場合、流体密度の読みを用いていることによって担体流体の鉄粒子の種類を求めることが可能である。流量センサ及びインダクタンス・センサによって与えられる測定値は組合され、その結果、粒子の体積分率が密度又は透磁率を仮定しないで得られる。このようにして、本発明の装置は、透磁性流体の品質を維持する正確で、簡単でかつ繰返し可能な装置と方法を提供する。さらに、組み合わされた測定値から、粒子密度及び透磁率を推定し、それによって、所望の粒子が流体を作るために用いられていたという独立の検査又は検証を行うことが可能である。
【００２８】
質量流量センサは、透磁性材料のための総合密度を与える。本発明の装置は、粒子の体積分率に達するために質量流量センサを備えるだけでよい。質量流量センサが材料の磁性粒子の体積分率を測定するために単独で用いられる場合、質量流量センサから総合材料密度を得た後に、技術員又は作業者は、体積分率を推定するために粒子の透磁率を仮定する。実際には、透磁率は、非常に精度高く仮定され、それによって精密な体積分率値を与えることができる。
【００２９】
図１０〜１２は、代替実施態様の検知インダクタ１３０を例示している。検知インダクタ１３０は、装置１０、１００、１０２及び１１０において前述した流路１１、容器１２、１３、弁７０、混合装置７１、表示装置４４及び質量センサ１２０と組み合わされてもよい。図１０において、検知インダクタ１３０は容器１２の流体１４に挿入されて示されているが、プローブは、また、必要であれば容器１３に入れてもよい。インダクタ１３０は、シャフトの一端にシャフト又は棒１３４と一体に作られた誘導コイル１３２から構成されている。ハンドル１３６がリング１３２を表示装置４４と電気的に接続するためにシャフトを通る接続部材４６ａ及び４６ｂの通路の対向端部と一体に作られている。図１１は、リング１３２の拡大図である。インダクタ１３０は、流体のためのインダクタンス読みを得るために封じ込められた流体１４の周囲を手動で動かすことができる。インダクタは、装置１０、１００、１０２及び１１０のその他の要素と組み合わされてもよいし、又は単に容器１２及び表示装置４４と組み合わせて用いてもよい。
インダクタ１３０が用いられるとき、容器１２、１３は非磁性体で作られなければならない。容器が磁性材料で作られる場合、リングはある距離だけ容器壁から離されなければならない。
【００３０】
中空リング１３２の詳細な断面図が図１２に例示されている。図１２に示すように、非磁性環状ボビン１３６が前述のコイル線５０及び８８と同様なコイル線１３８を支持する。ボビン１３６及びコイル１３８は、ボビン及びコイルを囲む非磁性のカプセル材料１４０によって囲まれている。磁界は、また、前述のように表示装置４４から受ける励起によって発生される。磁界は、リング１３２によって画成される孔１４２を主として通過する透磁性材料に作用する。
【００３１】
リングは、図１１に示されているように遮蔽部材なしで用いられてもよいし、又はカプセル材料１４０の外側に沿って金属遮蔽１４４を備えていてもよい。
遮蔽は、リング１４６の外周に置かれ、このようにして磁束が中心リング孔１４２に向けられることを確実にする。遮蔽は、低炭素鋼などの任意の高透磁率の適当な材料で作られる。
【００３２】
本発明の装置は、任意の適当な部品の組合せから構成されてもよい。例えば、装置は検知インダクタと質量流量計を組み合わせて備えていてもよいし、又はそれらは検知インダクタ又は質量流量計を別々に備えていてもよい。
【００３３】
本発明好ましい実施例を例示し、説明したが、これは改造できると理解されるので、我々は記載した精密な詳細に限られることを望まず、以下の特許請求の範囲の範囲入るそのような変化態様及び変更態様を利用することを望む。
【図面の簡単な説明】
【００３４】
【図１】透磁性材料の組成をモニターするための本発明装置の第１実施例の概略図である。
【図２】検知インダクタコイルによって生じた磁界を含む本発明の検知インダクタの概略図である。
【図３】検知インダクタを囲む遮蔽を有する図２の検知インダクタの概略図である。
【図４】検知インダクタコイルによって生じた磁界を含む図３の検知インダクタの概略図である。
【図５】透磁性材料の組成をモニターするための本発明装置の第２の実施態様の概略図である。
【図６】透磁性材料の組成をモニターするための本発明装置の第３の実施態様の概略図である。
【図７】代替実施態様の検知インダクタである。
【図８】検知インダクタによって生じた磁界を含む代替実施態様の検知インダクタである。
【図９】透磁性材料の組成をモニターするための本発明装置の第４の実施態様の概略図である。
【図１０】代替実施態様の検知インダクタである。
【図１１】図１０に１０として識別される丸印を付けた領域の拡大図である。
【図１２】図１１の線１２−１２に沿って取った断面図である。
【符号の説明】
【００３５】
１１            流路
１４            透磁性材料
２２            吸込み導管
２４            排出導管
２６            中間導管
４０            ポンプ
４２            一次コイル
４４            表示装置
４８            検出インダクタ
【図１】
2004530881.tif 000003
【図２】
2004530881.tif 000004
【図３】
2004530881.tif 000005
【図４】
2004530881.tif 000006
【図５】
2004530881.tif 000007
【図６】
2004530881.tif 000008
【図７】
2004530881.tif 000009
【図８】
2004530881.tif 000010
【図９】
2004530881.tif 000011
【図１０】
2004530881.tif 000012
【図１１】
2004530881.tif 000013
【図１２】
2004530881.tif 000014
【国際公開パンフレット】
2004530881.tif 000015
2004530881.tif 000016
2004530881.tif 000017
2004530881.tif 000018
2004530881.tif 000019
2004530881.tif 000020
2004530881.tif 000021
2004530881.tif 000022
2004530881.tif 000023
2004530881.tif 000024
2004530881.tif 000025
2004530881.tif 000026
2004530881.tif 000027
2004530881.tif 000028
2004530881.tif 000029
2004530881.tif 000030
2004530881.tif 000031
2004530881.tif 000032
2004530881.tif 000033
2004530881.tif 000034
2004530881.tif 000035
2004530881.tif 000036
2004530881.tif 000037
2004530881.tif 000038
2004530881.tif 000039
2004530881.tif 000040
【国際調査報告】
2004530881.tif 000041
2004530881.tif 000042
2004530881.tif 000043